(57)【要約】【課題】デフォルトの表示状態で表示枠を超える表示オブジェクトの文字を、ユーザーの利便性を損なうことなく、ユーザーが視認しやすい表示態様で表示させる。【解決手段】デフォルトの表示状態において、表示枠に文字列を重ねて表示する表示装置であって、第一の表示倍率の指定を受付け、第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍処理を行い(S609)、第二の表示倍率に変倍された文字列の内、第一の表示倍率に変倍された表示枠内に収まる文字のみを表示させる(S610)。【選択図】図６
2015228176.tif 000002
【特許請求の範囲】
【請求項１】
デフォルトの表示状態において、表示枠に文字列を重ねて表示する表示装置であって、
第一の表示倍率の指定を受付ける受付け手段と、
第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍処理を行う変倍手段と、
第二の表示倍率に変倍された文字列の内、第一の表示倍率に変倍された表示枠内に収まる文字のみを表示させる表示制御手段と、
を備えることを特徴とする表示装置。
【請求項２】
前記変倍手段は、第一の表示倍率が大きくなる程、第一の表示倍率と第二の表示倍率との差が大きくなるように第二の表示倍率を設定する
ことを特徴とする請求項１記載の表示装置。
【請求項３】
前記変倍手段は、前記文字列を構成する全文字数に対する、前記指定を受付けたときに前記表示枠内に表示されている文字数の割合が少ない程、第一の表示倍率と第二の表示倍率との差が大きくなるように第二の表示倍率を設定する
ことを特徴とする請求項１又は２に記載の表示装置。
【請求項４】
前記変倍手段は、前記指定を受付けたときに、前記表示枠内に前記文字列を構成する全ての文字が表示されている場合には、前記変倍処理を抑止し、前記表示枠の表示倍率を第一の表示倍率に設定し、前記表示枠と前記文字列とが同じ倍率で変倍されるように前記文字列の表示倍率を設定する
ことを特徴とする請求項１〜３の何れかに記載の表示装置。
【請求項５】
前記デフォルトの表示状態において、前記表示枠内には、複数の文字表示領域が割当てられ、割当てられた各文字表示領域には前記文字列の構成文字が分割して割当てられており、
前記変倍手段は、前記変倍処理において、さらに、前記各文字表示領域の表示倍率を第一の表示倍率に設定し、
前記表示制御手段は、前記各文字表示領域内に割当てられた前記構成文字の内、第一の表示倍率に変倍された当該文字表示領域内に収まる文字のみを表示させる
ことを特徴とする請求項１〜４の何れかに記載の表示装置。
【請求項６】
前記文字列は、複数の単語から構成され、
前記各文字表示領域内には、前記複数の単語が１単語ずつ別々に割当てられている
ことを特徴とする請求項５記載の表示装置。
【請求項７】
前記受付け手段はさらに、前記変倍処理の適用範囲の指定を受付け、
前記変倍手段は、前記表示枠が指定された適用範囲内に表示されている場合に前記変倍処理を行い、前記表示枠が当該適用範囲内に表示されていない場合には前記変倍処理を抑止する
ことを特徴とする請求項１〜６の何れかに記載の表示装置。
【請求項８】
第一の表示倍率と、第二の表示倍率に変倍されたときに第一の表示倍率に変倍された表示枠内に収まる文字数からなる、前記文字列の所定の構成文字との対応関係を示すテーブルを記憶している記憶手段を備え、
前記表示制御手段は、前記文字列の内、前記テーブルにおいて、指定された第一の表示倍率に対応する前記構成文字を表示させる
ことを特徴とする請求項１記載の表示装置。
【請求項９】
前記変倍処理後の前記文字列が第一の表示倍率に変倍された表示枠内に収まるか否かを判定する判定手段を備え、
前記表示制御手段は、前記表示枠内に収まらない場合には、当該表示枠内にその旨を示す表示をする
ことを特徴とする請求項１〜８の何れかに記載の表示装置。
【請求項１０】
前記表示枠に重ねられる文字列が、ユーザーが入力した文字列であるか否かを判定する文字列判定手段を備え、
前記変倍手段は、前記文字列が、ユーザーが入力した文字列である場合には、前記変倍処理を抑止する
ことを特徴とする請求項１〜９の何れかに記載の表示装置。
【請求項１１】
請求項１〜１０の何れかに記載の表示装置を備える画像形成装置。
【請求項１２】
デフォルトの表示状態において、表示枠に文字列を重ねて表示する表示装置において用いられる表示制御方法であって、
第一の表示倍率の指定を受付ける受付けステップと、
第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍ステップと、
第二の表示倍率に変倍された文字列の内、第一の表示倍率に変倍された表示枠内に収まる文字のみを表示させる表示制御ステップと、
を含むことを特徴とする表示制御方法。
【請求項１３】
デフォルトの表示状態において、表示枠に文字列を重ねて表示する表示装置において用いられるコンピューターによって実行可能な表示制御プログラムであって、
第一の表示倍率の指定を受付ける受付けステップと、
第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍ステップと、
第二の表示倍率に変倍された文字列の内、第一の表示倍率に変倍された表示枠内に収まる文字のみを表示させる表示制御ステップと、
をコンピューターに実行させることを特徴とする表示制御プログラム。
【発明の詳細な説明】
【技術分野】
【０００１】
本発明は、所定形状の表示枠に文字列を重ねて表示させる表示装置に関し、特に表示枠内に収まらない文字列の表示を制御する技術に関する。
【背景技術】
【０００２】
近年、プリンター、複写機等の画像形成装置、携帯情報端末装置、カーナビ等の各種の電子機器には、当該電子機器に関する情報を表示したり、ユーザー操作を受付ける操作釦等を表示したりする表示装置が広く利用されている。
ユーザーは、表示装置に表示される表示枠に表示される文字列等の表示オブジェクトをみて、電子機器に関する各種の情報を把握することができる。
【０００３】
一方、上記のような電子機器は、日本に限らず、世界各国で利用されるため、上記の各種の情報を多言語で提供することが必要となる。多言語で情報を表示する場合、同じ内容の情報でも、表示する文字の数が異なってくるため、使用する言語によっては、デフォルトの表示状態で当該情報を表示するのに必要な全ての文字を表示枠内に表示しきれないという問題が生じるようになってきている。
【０００４】
上記の問題を解決する技術として、例えば、特許文献１には、デフォルトの表示状態で表示オブジェクトである文字列の表示枠を超えて当該文字列の一部を表示枠外に表示させる技術が開示されている。
又、特許文献２には、表示オブジェクトである文字列の大きさに応じて、最適な大きさの表示枠（表示テンプレートデータ）を選択し、デフォルトの表示状態で選択した表示枠に表示オブジェクトを表示させる技術が開示されている。
【０００５】
これにより、表示オブジェクトの文字数が多い場合でもユーザーは、表示オブジェクトの文字列の全ての文字を見ることができ、表示オブジェクトの示す情報を把握することができる。
【先行技術文献】
【特許文献】
【０００６】
【特許文献１】特開２０１３−１２０４１号公報
【特許文献２】特開２００９−２８２８２７号公報
【発明の概要】
【発明が解決しようとする課題】
【０００７】
しかしながら、特許文献１に記載の技術では、表示枠外に表示オブジェクトの文字列の一部が表示されるので、表示枠を超える表示オブジェクトが多数あるような場合には、表示枠外に多くの文字が錯綜して表示され、ユーザーにとって表示が見づらくなるという問題が生じる。
又、特許文献２に記載の技術では、表示オブジェクトの大きさに応じて、拡大された表示枠が選択された場合に、その分、他の表示オブジェクトを表示する表示枠のスペースが確保できなくなるので、多数の表示枠を一つの操作画面に表示できなくなり、表示枠を階層的に表示させないと表示オブジェクトを表示する表示枠を全て表示できなくなる場合が生じ、ユーザーの利便性が損なわれてしまうという問題が生じる。
【０００８】
さらに、表示枠の大きさを変更するのに応じて、表示枠の表示レイアウトを変更しなければならず、その分、表示デザインの開発に要するコストが増加するという問題も生じる。
本発明は、上述のような問題に鑑みて為されたものであって、デフォルトの表示状態で表示枠を超える表示オブジェクトの文字を、ユーザーの利便性を損なうことなく、ユーザーが視認しやすい表示態様で表示させることが可能な表示装置、表示制御方法、及び表示制御プログラムを提供することを目的とする。
【課題を解決するための手段】
【０００９】
上記目的を達成するため、本発明の一形態に係る表示装置は、デフォルトの表示状態において、表示枠に文字列を重ねて表示する表示装置であって、第一の表示倍率の指定を受付ける受付け手段と、第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍処理を行う変倍手段と、第二の表示倍率に変倍された文字列の内、第一の表示倍率に変倍された表示枠内に収まる文字のみを表示させる表示制御手段と、を備える。
【００１０】
又、本発明の一形態に係る画像形成装置は、前記表示装置を備えることとすることができる。
又、本発明の一形態に係る表示制御方法は、デフォルトの表示状態において、表示枠に文字列を重ねて表示する表示装置において用いられる表示制御方法であって、第一の表示倍率の指定を受付ける受付けステップと、第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍ステップと、第二の表示倍率に変倍された文字列の内、第一の表示倍率に変倍された表示枠内に収まる文字のみを表示させる表示制御ステップと、を含むこととすることができる。
【００１１】
又、本発明の一形態に係る表示制御プログラムは、デフォルトの表示状態において、表示枠に文字列を重ねて表示する表示装置において用いられるコンピューターによって実行可能な表示制御プログラムであって、第一の表示倍率の指定を受付ける受付けステップと、第一の表示倍率が前記デフォルトの表示状態の表示倍率よりも大きい場合に、前記表示枠の表示倍率を第一の表示倍率に設定し、前記文字列の表示倍率を第一の表示倍率よりも小さい第二の表示倍率に設定して表示倍率を変倍する変倍ステップと、第二の表示倍率に変倍された文字列の内、第一の表示倍率に変倍された表示枠内に収まる文字のみを表示させる表示制御ステップと、をコンピューターに実行させるプログラムであることとすることができる。
【発明の効果】
【００１２】
上記構成を備えることにより、指定された表示倍率が、デフォルトの表示状態の表示倍率よりも大きい場合に、表示枠は指定された表示倍率で変倍され、表示枠に重ねられる文字列は、指定された表示倍率よりも小さい表示倍率で変倍されるので、両者の表示倍率の差分に相当する分だけ、変倍された表示枠内に収まる文字数をデフォルトの表示状態の場合に比べ、増やすことができる。
【００１３】
その結果、デフォルトの表示状態において、表示枠に重ねられる文字列が表示枠に収まらない場合に、当該文字列を構成する文字の内、表示枠に収まらない文字を、変倍された表示枠における文字数の収容数が増える分だけ、変倍された表示枠内に表示させることができる。従って、デフォルトの表示状態における表示枠のスペース効率や表示レイアウトに影響を与えることなく、デフォルトの表示状態において表示枠に収まらない文字を、変倍された表示枠に表示させることができ、ユーザーの利便性が損なわれることはない。
【００１４】
又、変倍された表示枠内に収まる文字のみが、表示されるので、変倍された表示枠外に当該文字列の文字が表示されず、ユーザーが視認しやすい表示態様でデフォルトの表示状態で表示枠に収まらない（表示枠を超える）文字を表示させることができる。
ここで、前記変倍手段は、第一の表示倍率が大きくなる程、第一の表示倍率と第二の表示倍率との差が大きくなるように第二の表示倍率を設定する
こととしてもよい。
【００１５】
これにより、表示枠の表示倍率が大きくなる程、当該表示倍率と表示枠に重ねられる文字列の表示倍率との差が大きくなるように当該文字列の表示倍率が設定されるので、ユーザーは、指定する表示倍率を大きくして設定される表示枠の表示倍率を大きくしてゆくことにより、両者の差分を拡大させて変倍された表示枠内に収まる文字を増やしてゆくことができ、最終的に表示枠に重ねられる文字列の構成文字を全て表示枠内に表示させて、当該文字列の内容の確認を確実に行うことができる。
【００１６】
ここで、前記変倍手段は、前記文字列を構成する全文字数に対する、前記指定を受付けたときに前記表示枠内に表示されている文字数の割合が少ない程、第一の表示倍率と第二の表示倍率との差が大きくなるように第二の表示倍率を設定することとしてもよい。
これにより、デフォルトの表示状態において表示枠に重ねられる文字列を構成する全文字数に対する、表示倍率の指定を受け付けたときに表示枠に表示されている文字数の割合が少ない程、表示枠の表示倍率と当該表示枠に重ねられる文字列の表示倍率との差が大きくなるように当該文字列の表示倍率が設定されるので、ユーザーは、変倍前の表示おいて表示枠に収まらない文字数が多い場合においても、当該表示枠に収まらなかった文字を、変倍後の表示枠内に多く表示させることができ、表示内容の確認動作におけるユーザーの利便性をより向上させることができる。
【００１７】
ここで、前記変倍手段は、前記指定を受付けたときに、前記表示枠内に前記文字列を構成する全ての文字が表示されている場合には、前記変倍処理を抑止し、前記表示枠の表示倍率を第一の表示倍率に設定し、前記表示枠と前記文字列とが同じ倍率で変倍されるように前記文字列の表示倍率を設定することとしてもよい。
これにより、表示倍率の指定を受付けたときに、表示枠に当該表示枠に重ねられる文字列の全ての構成文字が表示されている場合には、表示枠の表示倍率と当該文字列の表示倍率とが同じ倍率で変倍されるので、当該文字列がその分、大きく表示され、表示文字列に対するユーザーの視認性を向上させることができる。
【００１８】
ここで、前記デフォルトの表示状態において、前記表示枠内には、複数の文字表示領域が割当てられ、割当てられた各文字表示領域には前記文字列の構成文字が分割して割当てられており、前記変倍手段は、前記変倍処理において、さらに、前記各文字表示領域の表示倍率を第一の表示倍率に設定し、前記表示制御手段は、前記各文字表示領域内に割当てられた前記構成文字の内、第一の表示倍率に変倍された当該文字表示領域内に収まる文字のみを表示させることとしてもよい。
【００１９】
又、前記文字列は、複数の単語から構成され、前記各文字表示領域内には、前記複数の単語が１単語ずつ別々に割当てられていることとしてもよい。
これにより、表示枠内に複数の文字表示領域が割当てられ、各文字表示領域に表示枠に重ねられる文字列の構成文字が分割して割当られて、当該文字表示領域においては、当該文字表示領域の表示倍率より当該文字表示領域に表示される構成文字の表示倍率の方が小さい表示倍率になるように変倍されるので、各文字表示領域に割当てられた構成文字のグループ単位で両者の表示倍率の差分に相当する分だけ、変倍された文字表示領域内に収まる文字数をデフォルトの表示状態の場合に比べ、増やすことができる。
【００２０】
従って、例えば、表示枠に重ねられる文字列が複数の単語から構成される場合には、各文字表示領域に複数の単語を１単語ずつ別々に割当てることにより、当該文字列を構成する単語単位で当該単語の構成文字が対応する文字表示領域内で増えてゆくように制御することができるので、当該文字列の構成文字がまだ全て表示枠に表示されていない場合においても、当該文字列全体の表示内容の把握を容易にすることができる。
【００２１】
例えば、当該文字列の構成文字を配列順に増やしていった場合には、末尾側の単語が表示されていない表示状態では、当該文字列全体の内容を把握するのが困難であるが、当該文字列を構成する各単語の構成文字が一部ずつ表示されている場合には、表示されている文字から当該文字によって構成される単語を連想することが可能となり、各単語から構成される文字列全体の表示内容を把握することが可能となる。
【００２２】
ここで、前記受付け手段はさらに、前記変倍処理の適用範囲の指定を受付け、
前記変倍手段は、前記表示枠が指定された適用範囲内に表示されている場合に前記変倍処理を行い、前記表示枠が当該適用範囲内に表示されていない場合には前記変倍処理を抑止することとしてもよい。
これにより、適用範囲として指定された範囲内に表示されている表示枠についてのみ、表示枠と当該表示枠に重ねられる文字列の表示倍率が異なる変倍処理が行われるので、ユーザーは、自己が表示内容の確認を所望する表示枠のみを選択して、表示内容を確認することができ、表示枠の表示内容の確認動作におけるユーザーの利便性を向上させることができる。
【００２３】
ここで、第一の表示倍率と、第二の表示倍率に変倍されたときに第一の表示倍率に変倍された表示枠内に収まる文字数からなる、前記文字列の所定の構成文字との対応関係を示すテーブルを記憶している記憶手段を備え、前記表示制御手段は、前記文字列の内、前記テーブルにおいて、指定された第一の表示倍率に対応する前記構成文字を表示させることとしてもよい。
【００２４】
これにより、表示枠の設定表示倍率である第一の表示倍率と、当該表示枠に重ねられる文字列が、当該文字列の設定表示倍率である第二の表示倍率に変倍されたときに第一の表示倍率に変倍された表示枠内に収まる文字数からなる、当該文字列の所定の構成文字との対応関係を示すテーブルが記憶され、変倍時に指定された第一の表示倍率に対応する所定の構成文字が表示されるので、所定の構成文字として例えば、ユーザーが当該文字列全体を連想しやすい文字を設定しておくことにより、変倍後の表示おいて、表示内容を示す全構成文字が表示枠内にまだ表示しきれていない場合においてもユーザーは、全体の表示内容を連想しやすくなり、表示内容の確認動作における利便性を向上させることができる。
【００２５】
ここで、前記表示装置は、前記変倍処理後の前記文字列が第一の表示倍率に変倍された表示枠内に収まるか否かを判定する判定手段を備え、前記表示制御手段は、前記表示枠内に収まらない場合には、当該表示枠内にその旨を示す表示をすることとしてもよい。
これにより、変倍された表示枠内に文字列が収まらない場合には、その旨を示す表示がされるので、ユーザーは、表示枠の表示内容の確認動作を能率よくすすめることができる。
【００２６】
ここで、前記表示装置は、前記表示枠に重ねられる文字列が、ユーザーが入力した文字列であるか否かを判定する文字列判定手段を備え、前記変倍手段は、前記文字列が、ユーザーが入力した文字列である場合には、前記変倍処理を抑止することとしてもよい。
これにより、ユーザー自身が入力し、表示枠の表示内容が何であるかを確認する必要性が少ない場合に、不必要に変倍処理が行われるのを抑止することができる。
【図面の簡単な説明】
【００２７】
【図１】表示装置を備える画像形成装置の具体例を示す斜視図である。
【図２】画像形成装置1の構成を示す機能ブロック図である
【図３】表示装置６の構成を示す機能ブロック図である。
【図４】操作画面情報の具体例を示す。
【図５】ピンチイン、ピンチアウト操作を例示する模式図である。
【図６】制御部６０が行う表示制御処理の動作を示すフローチャートである。
【図７】制御部６０が行う表示倍率変倍処理の動作を示すフローチャートである。
【図８】制御部６０が行う変倍表示処理の動作を示すフローチャートである。
【図９】図４に示す操作画面情報に従って操作パネル６２に表示されたデフォルト表示時の操作画面の表示例を示す図である。
【図１０】本実施の形態の表示制御処理により変倍表示された操作画面の表示例を示す図である。
【図１１】本実施の形態の表示制御処理における、指定表示倍率（α）とアイテムオブジェクトの表示エリアの設定表示倍率との対応関係、及び指定表示倍率（α）と当該アイテムオブジェクトの表示エリアに表示される文字の設定表示倍率との対応関係をそれぞれ模式的に示す図である。
【図１２】図１１の変形例における、指定表示倍率（α）とアイテムオブジェクトの表示エリアの設定表示倍率との対応関係及び指定表示倍率（α）と当該アイテムオブジェクトの表示エリアに表示される文字の設定表示倍率との対応関係を模式的に示す図である。
【図１３】図７の表示倍率変倍処理の動作の変形例１を示すフローチャートである。
【図１４】指定表示倍率（α）とアイテムオブジェクトの表示エリアの設定表示倍率との対応関係及び各文字表示率における、指定表示倍率（α）と当該アイテムオブジェクトの表示エリアに表示される文字の設定表示倍率との対応関係を模式的に示す図である。
【図１５】図４の操作画面情報の変形例を示す。
【図１６】図７の表示倍率変倍処理の動作の変形例２を示すフローチャートである。
【図１７】図８の変倍表示処理の動作の変形例１を示すフローチャートである。
【図１８】図１５に示す操作画面情報に従って操作パネル６２に表示されたデフォルト表示時の操作画面の表示例を示す図である。
【図１９】図１８の操作画面を変倍した後の表示例を示す図である。
【図２０】図１８の操作画面を変倍した後の別の表示例を示す図である。
【図２１】図６の表示制御処理の動作の変形例を示すフローチャートである。
【図２２】図７の表示倍率変倍処理の動作の変形例３を示すフローチャートである。
【図２３】ピンチアウト操作により適用範囲を指定した場合のデフォルト表示時の操作画面の表示例を示す。
【図２４】図２３の操作画面を変倍した後の表示例を示す図である。
【図２５】図８の変倍表示処理の動作の変形例２を示すフローチャートである。
【図２６】表示対象文字選択テーブルの具体例を示す。
【図２７】図８の変倍表示処理の動作の変形例３を示すフローチャートである。
【図２８】図７の表示倍率変倍処理の動作の変形例４を示すフローチャートである。
【発明を実施するための形態】
【００２８】
(実施の形態)
以下、本発明に係る一形態の表示装置の実施の形態を、画像形成装置に適用した場合を例にして説明する。
［１］画像形成装置
図１は、表示装置を備える画像形成装置の具体例を示す斜視図である。同図の符号１は、画像形成装置を示し、符号６は、表示装置を示す。同図に示すように、表示装置６は、点線矢印Ａで示す、画像形成装置１の正面側の上部に設けられている。
【００２９】
図２は、画像形成装置1の構成を示す機能ブロック図である。画像形成装置１は、画像プロセス部３、給紙部４、定着装置５、表示装置６、画像読取部７、制御部１０等から構成される。
画像プロセス部３は、図示しない感光体ドラム、帯電器、現像器、露光部等から構成され、制御部１０又は画像読取部７から入力された印刷用の画像データに基づき、給紙部４から供給される記録シートとしての用紙に画像を形成することにより印刷処理を実行する。
【００３０】
給紙部４は、制御部１０からの指示に応じて記録シートとしての用紙を画像プロセス部３に供給する。定着装置５は、制御部１０からの指示に応じて記録シートとしての用紙に形成された画像を、当該用紙に熱定着させる。
図３は、表示装置６の構成を示す機能ブロック図である。表示装置６は、制御部６０、操作画面情報記憶部６１、操作パネル６２、テーブル記憶部６３等から構成される。制御部６０は、ＣＰＵ、ＲＯＭ、ＲＡＭ等から構成され、表示装置６の全体の動作を制御するとともに、後述する表示制御処理を実行する。当該表示制御処理を実行するプログラムは、ＲＯＭに記憶されており、制御部６０は、当該プログラムをＣＰＵにより実行することにより、後述する表示制御処理を実行する。
【００３１】
操作画面情報記憶部６１は、操作パネル６２に表示可能な操作画面毎に設定されている操作画面情報を、操作画面を識別する操作画面ＩＤと対応付けて記憶している。「操作画面情報」とは、操作パネル６２に表示される、各表示項目の内容を示す表示画像であるアイテムオブジェクトに関する情報のことをいい、具体的には、各アイテムオブジェクトを識別するオブジェクトＩＤと、アイテムオブジェクトの表示項目名と、操作パネル６２におけるアイテムオブジェクトの表示領域を、Ｘ座標、Ｙ座標の各座標値の範囲（Ｘ座標、Ｙ座標の各最小と最大の座標値の範囲）で示す表示エリアと、アイテムオブジェクトの表示エリア内に表示される表示オブジェクトに関する情報と、アイテムオブジェクトの文字以外の表示対象の現在の表示倍率を示すカレント非文字表示倍率（Ｍ）との対応関係を示す情報のことをいう。
【００３２】
表示オブジェクトに関する情報には、表示オブジェクトの種類（例えば、テキスト（文字列）、図形、写真、イラスト等の種類）、操作パネル６２における表示オブジェクトの表示領域を、Ｘ座標、Ｙ座標の各座標値の範囲（Ｘ座標、Ｙ座標の各最小と最大の座標値の範囲）で示す表示エリア、表示オブジェクトの表示内容、当該表示内容がテキストである場合の文字のフォント、文字のサイズ、文字間の間隔（文字列が複数行で表示される場合には、文字間の間隔及び行間隔）、文字の現在の表示倍率を示すカレント文字表示倍率（Ｌ）、表示オブジェクトを構成する文字列の全文字数、エリア表示可能文字数、文字表示率等が含まれる。
【００３３】
ここで、「エリア表示可能文字数」とは、表示オブジェクトを構成する文字列の全文字の内、アイテムオブジェクトの表示エリア内に収容して表示可能な最大文字数のことをいい、当該文字列の文字のフォント、サイズ、間隔（文字間間隔及び行間隔）及びアイテムオブジェクトの表示エリアの大きさに基づいて算出される。
又、「文字表示率」とは、当該文字列を構成する全文字数に対する、当該文字列に係るエリア表示可能文字数の割合を百分率で表した数値のことをいう。「文字表示率」が１００％である場合には、表示オブジェクトの文字列を構成する全ての文字がアイテムオブジェクトの表示エリア内に収容されて表示されることを示し、「文字表示率」が１００％未満である場合には、当該文字列の構成文字数が、エリア表示可能文字数を超え、当該文字列を構成する文字の内の一部の文字が、アイテムオブジェクトの表示エリア内に収容しきれず、当該表示エリア内において表示できないことを示す。
【００３４】
なお、カレント非文字表示倍率（Ｍ）、カレント文字表示倍率（Ｌ）は、デフォルト時（後述する表示制御処理において操作画面情報を取得した時点）においてそれぞれ１００％（等倍表示の表示倍率）に設定されているものとする。
すなわち、操作画面情報記憶部６１は、デフォルト時（等倍表示時）の操作画面情報を記憶し、当該操作画面情報は、表示制御処理において制御部６０のＲＡＭ上に読み出されて、変倍時に更新される。
【００３５】
図４は、操作画面情報の具体例を示す。当該操作画面情報には、オブジェクトＩＤがＡ０００〜Ａ００５の６つのアイテムオブジェクトに関する情報が記述されている。
ここでは、「Ａ０００」は、表示項目名が、「色設定」のアイテムオブジェクトを、「Ａ００１」、「Ａ００２」、「Ａ００３」は、表示項目名が「選択キー」（ここでは、Ａ００１の選択キーを、「オートーカラーを選択する選択キー」、Ａ００２の選択キーを、「フルカラーを選択する選択キー」、Ａ００３の選択キーを、「白黒を選択する選択キー」とする。）のアイテムオブジェクトを、「Ａ００４」は、表示項目名が「取消キー」のアイテムオブジェクトを、「Ａ００５」は、表示項目名が「確定キー」のアイテムオブジェクトをそれぞれ示すものとする。
【００３６】
当該操作画面情報のアイテムオブジェクト、当該アイテムオブジェクトの表示オブジェクトの各「表示エリア」の欄においては、Ｘ座標、Ｙ座標の各最小と最大の座標値の範囲が示されている。ここでは、各「表示エリア」欄に示される２つのカッコの内、左側のカッコ内の左側の数値がＸ座標の最小値を、右側のカッコ内の左側の数値がＸ座標の最大値を、左側のカッコ内の右側の数値がＹ座標の最小値を、右側のカッコ内の右側の数値がＹ座標の最大値をそれぞれ表すものとする。
【００３７】
例えば、オブジェクトＩＤがＡ０００のアイテムオブジェクトの表示エリア欄の「（２０，５）−（１１０，１２０）」においては、Ｘ座標の最小値は「２０」、最大値は「１１０」、Ｙ座標の最小値は「５」、最大値は「１２０」であることを表している。
図３の説明に戻って、操作パネル６２は、液晶ディスプレイ、バックライト等から構成され、液晶ディスプレイの表面にはタッチパネルが積層されている。タッチパネルは、例えば、複数のユーザーの指先等により指示された多点を同時に検出することが可能な投影型静電容量方式のもので構成される。
【００３８】
操作パネル６２には、制御部６０の制御により、操作画面情報に従って各種のアイテムオブジェクトが液晶ディスプレイに表示される。操作パネル６２は、ユーザー指示を受付けるアイテムオブジェクトに対するユーザーのタッチ入力操作を、タッチパネルを介して検出してユーザーからの指示を受け取り、当該指示を制御部６０に出力する。
又、操作パネル６２は、タッチパネル上においてユーザーの２つの指先により２つの指示点が検出された場合には、制御部６０に検出した指示点の座標値を出力し、制御部６０は、出力された指示点の座標値に基づいて、ユーザーの指先の操作が、２つの指示点が離間する方向へ移動するピンチアウト操作であるか、２つの指示点が接近する方向へ移動するピンチイン操作であるかを判定する。
【００３９】
図５（ａ）は、ピンチアウト操作を、図５（ｂ）はピンチイン操作を例示する模式図である。両図において、符号６２は、操作パネルを示し、実線の白丸は、移動前のユーザーの指先の指示点を示し、点線の白丸は、移動後のユーザーの指先の指示点を示し、矢印Ａ、矢印Ｂは、指先の移動方向をそれぞれ示す。
なお、両図において、矩形の操作パネル６２の左上端の頂点を原点とし、当該原点から右方向に向かう方向をＸ軸の正方向、当該原点から下方向に向かう方向をＹ軸の正方向とする。
【００４０】
又、両図の点線両矢印Ｍ０は、移動前のユーザーの２つの指先の指示点間の距離を、点線両矢印Ｍ１は、移動後のユーザーの２つの指先の指示点間の距離をそれぞれ示す。以下、Ｍ１とＭ０の差分の絶対値（｜Ｍ１−Ｍ０｜）のことを変倍量と呼ぶこととする。
ここでは、ピンチイン、ピンチアウト操作により、アイテムオブジェクトに対する変倍指示を取得することとし、ユーザーの指先の操作がピンチイン操作である場合には、制御部６０は、当該変倍指示が縮小指示であると判定し、ユーザーの指先の操作がピンチアウト操作である場合には、制御部６０は、当該変倍指示が拡大指示であると判定するものとする。
【００４１】
テーブル記憶部６２は、操作画面選択テーブル、変倍係数特定テーブルをそれぞれ記憶している。「操作画面選択テーブル」とは、アイテムオブジェクトと当該アイテムオブジェクトへのタッチ入力が受付けられた場合に遷移すべき操作画面との対応関係を示すテーブルのことをいい、具体的には、アイテムオブジェクトのＩＤと遷移先の操作画面のＩＤとの対応関係を示すテーブルのことをいう。
【００４２】
又、「変倍係数特定テーブル」とは、後述する表示制御処理において、指定表示倍率（α）を算出するために用いるテーブルであって、変倍量と変倍係数との対応関係を示すテーブルのことをいう。
変倍係数特定テーブルには、変倍指示が拡大指示である場合に用いるテーブルと、変倍指示が縮小指示である場合に用いるテーブルの２種類がある。制御部６０は、取得した変倍指示を拡大指示であると判定した場合には、拡大子指示用の変倍係数特定テーブルを用いて変倍係数を特定し、取得した変倍指示が縮小指示であると判定した場合には、縮小指示用の変倍係数特定テーブルを用いて変倍係数を特定する。
【００４３】
拡大子指示用の変倍係数特定テーブルにおいては、変倍係数は１より大きく、変倍量が多くなるに従って、変倍係数が大きくなるように、変倍係数が設定され、縮小指示用の変倍係数特定テーブルにおいては、変倍係数は、１より小さく、変倍量が多くなるに従って、変倍係数が小さなるように、変倍係数が設定されている。
図２の説明に戻って、画像読取部７は、図示しないスキャナなどの画像入力装置から構成され、用紙等の記録シートに記載されている文字や図形などの情報を読取り、画像データを形成する。
【００４４】
制御部１０は、所謂コンピューターであって、ＣＰＵ１００、通信インターフェース（Ｉ／Ｆ）部１０１、ＲＯＭ１０２、ＲＡＭ１０３、画像データ記憶部１０４等から構成され、画像形成装置１の全体の動作を制御する。
通信Ｉ／Ｆ部１０１は、ＬＡＮカード、ＬＡＮボードといったＬＡＮ（Local Area
Network）に接続するためのインターフェースである。ＲＯＭ１０２には、画像プロ
セス部３、給紙部４、定着装置５、表示装置６、画像読取部７を制御するための
制御プログラム等が格納されている。ＲＡＭ１０３は、ＣＰＵ１００のプログラム実
行時のワークエリアとして用いられる。画像データ記憶部１０４は、通信Ｉ／Ｆ部１
０１や画像読取部７を介して入力された、印刷用の画像データを記憶している。
【００４５】
［２］表示制御処理
図６は、制御部６０が行う表示制御処理の動作を示すフローチャートである。制御部６０は、操作画面の表示指示を取得すると（ステップＳ６０１）、操作パネル６２に表示すべき操作画面に関する操作画面情報を操作画面情報記憶部６１から取得する（ステップＳ６０２）。
【００４６】
ここで、制御部６０は、電源オン時には、予め初期画面に設定されている操作画面ＩＤに対応する操作画面情報を操作画面情報記憶部６１から取得する。そして、後述するステップＳ６１１において操作画面変更指示を取得した場合には、当該変更指示がされた操作画面の操作画面ＩＤに対応する操作画面情報を操作画面情報記憶部６１から取得する。
次に、制御部６０は、取得した操作画面情報に基づいて操作パネル６２に各アイテムオブジェクトを表示させる（ステップＳ６０３）。そして、操作パネル６２を介してユーザーから変倍指示を取得すると（ステップＳ６０４：ＹＥＳ）、制御部６０は、操作パネル６２が出力した各指示点の座標値に基づいて、変倍指示が拡大指示であるか、縮小指示であるかを判定し、さらに移動前の２つの指示点間の距離（Ｍ０）と、移動後の２つの指示点間の距離（Ｍ１）を算出して、両者の変倍量（｜Ｍ１−Ｍ０｜）を算出し（ステップＳ６０５）、判定した変倍指示に対応する変倍係数特定テーブルをテーブル記憶部６３から取得し、当該変倍係数特定テーブルを参照して算出した変倍量に対応する変倍係数を特定し、取得した操作画面情報の示すカレント非文字表示倍率に特定した変倍係数を乗算して、変倍指示においてユーザーに指定された指定表示倍率（α）を算出する（ステップＳ６０６）。
【００４７】
次に、制御部６０は、算出した指定表示倍率（α）が、１００％を超えている場合に（ステップＳ６０７：ＹＥＳ）、後述する表示倍率変倍処理及び変倍表示処理を行い（ステップＳ６０９、ステップＳ６１０）、その後、操作パネル６２を介してユーザーから操作画面変更指示を取得した場合（ユーザーが操作パネル６２に表示されている操作画面において、表示されている操作画面とは、別の操作画面の表示を指示するアイテムオブジェクトを選択した場合）には（ステップＳ６１１：ＹＥＳ）、ステップＳ６０２の処理に移行する。
【００４８】
ステップＳ６１１の判定結果が否定的であり（ステップＳ６１１：ＮＯ）、操作パネル６２を介して、ユーザーから表示終了指示を取得した場合には（ステップＳ６１２：ＹＥＳ）、制御部６０は、表示制御処理を終了し、ステップＳ６１２の判定結果が否定的である場合には（ステップＳ６１２：ＮＯ）、ステップＳ６０４の処理に移行する。
又、ステップＳ６０４の判定結果が否定的である場合には（ステップＳ６０４：ＮＯ）、制御部６０は、ステップＳ６１１の処理に移行する。又、ステップＳ６０７の判定結果が否定的である場合には（ステップＳ６０７：ＮＯ）、制御部６０は、ステップＳ６０２において取得した操作画面情報に基づいて、操作パネル６２に各アイテムオブジェクトをデフォルト表示（等倍表示）させる（ステップＳ６０８）。
【００４９】
次に、表示倍率変倍処理について説明する。図７は、制御部６０が行う表示倍率変倍処理の動作を示すフローチャートである。制御部６０は、ステップＳ６０４において変倍指示を取得したときの操作画面情報を参照して、表示されている各アイテムオブジェクトについて、表示オブジェクトの種類を特定し（ステップＳ７０１）、特定した表示オブジェクトがテキストである場合には（ステップＳ７０２：ＹＥＳ）、当該表示オブジェクトの文字表示率が１００％未満か否かを判定する（ステップＳ７０３）。
【００５０】
ステップＳ７０３の判定結果が肯定的である場合には（ステップＳ７０３：ＹＥＳ）、制御部６０は、操作画面情報の当該表示オブジェクトに係るカレント文字表示倍率（Ｌ）を１００％に、カレント非文字表示倍率（Ｍ）を指定表示倍率（α）にそれぞれ設定する（ステップＳ７０４）。
次に、制御部６０は、設定した表示倍率に基づいて、当該アイテムオブジェクトに係る操作画面情報の該当する欄（アイテムオブジェクトの表示エリア、当該アイテムオブジェクトの表示オブジェクトの表示エリア、エリア表示可能文字数、文字表示率の各欄）の数値を更新する（ステップＳ７０７）。
【００５１】
ここでは、各表示エリアの数値が（α／Ｍ０）の平方根倍だけ変倍された値に更新される（ここで、Ｍ０は、ステップＳ６０４において変倍指示を取得したときのカレント非文字表示倍率を表す。）。又、エリア表示可能文字数及び文字表示率は、更新後の各表示エリアの大きさに基づいて新たに算出されて、算出後の値に更新される。
ステップＳ７０３の判定結果が否定的である場合には（ステップＳ７０３：ＮＯ）、制御部６０は、カレント非文字表示倍率を指定表示倍率（α）に設定し、さらに当該アイテムオブジェクト及び当該アイテムオブジェクトの表示オブジェクトの各表示エリアと同じ倍率で文字が変倍されるように、当該表示オブジェクトに係るカレント文字表示倍率（Ｌ）を（Ｌ０×（α／Ｍ０））に設定する（ステップＳ７０５）。
【００５２】
ここで、Ｌ０、Ｍ０は、ステップＳ６０４において変倍指示を取得したときのカレント文字表示倍率、カレント非文字表示倍率をそれぞれ表す。
そして、ステップＳ７０５の処理を行った後、制御部６０は、ステップ７０７の処理に移行するが、この場合には、更新前の文字表示率が１００％であり、更新前後において、エリア表示可能文字数、文字表示率が変化しないように、文字は、アイテムオブジェクト及び当該アイテムオブジェクトの表示オブジェクトの各表示エリアと同じ倍率で変倍されるので、エリア表示可能文字数、文字表示率は、変倍により変化せず、更新されない。
【００５３】
又、ステップＳ７０２の判定結果が否定的である場合には（ステップＳ７０２：ＮＯ）、制御部６０は、カレント非文字表示倍率（Ｍ）を指定表示倍率（α）に設定し（ステップＳ７０６）、ステップＳ７０７の処理に移行する。なお、この場合には、表示オブジェクトがテキストでないので、エリア表示可能文字数、文字表示率に関する更新処理は行われない。
【００５４】
そして、表示されている全てのアイテムオブジェクトについて表示倍率の設定が完了するまで（ステップＳ７０８：ＹＥＳ）、制御部６０は、ステップＳ７０１〜ステップＳ７０７の処理を繰り返す。
次に変倍表示処理について説明する。図８は、制御部６０が行う変倍表示処理の動作を示すフローチャートである。制御部６０は、表示対象となる各アイテムオブジェクトの更新後の操作画面情報を参照し（ステップＳ８０１）、当該アイテムオブジェクトの表示オブジェクトがテキストでない場合には（ステップＳ８０２：ＮＯ）、当該アイテムオブジェクトを当該アイテムオブジェクトの更新後の操作画面情報に従って当該アイテムオブジェクトの表示エリアに表示させる（ステップＳ８０３）。
【００５５】
ステップＳ８０２の判定結果が肯定的であって（ステップＳ８０２：ＹＥＳ）、当該表示オブジェクトの更新後の文字表示率が１００％未満の場合には（ステップＳ８０４：ＹＥＳ）、制御部６０は、当該表示オブジェクトの表示内容を示す文字列から、更新後のエリア表示可能文字数分の文字を、表示対象文字として先頭文字から順次選択する（ステップＳ８０５）。
【００５６】
そして、制御部６０は、選択した表示対象文字を、当該アイテムオブジェクトの更新後の操作画面情報に従って当該アイテムオブジェクト及び当該表示オブジェクトの表示エリア内に表示させる（ステップＳ８０６）。
このように、更新後の文字表示率が１００％未満で、アイテムオブジェクトの表示内容を示す文字列の構成文字が、変倍後のアイテムオブジェクトの表示エリア内に表示可能な最大文字数を超える場合には、当該文字列から当該表示エリア内に収容して表示可能な文字数の文字のみが表示対象文字として選択されて当該表示エリア内に表示され、当該表示エリア内に収まらない文字の表示がされないように制御される。
【００５７】
ステップＳ８０２の判定結果が肯定的であって（ステップＳ８０２：ＹＥＳ）、ステップＳ８０４の判定結果が否定的である場合には（ステップＳ８０４：ＮＯ）、制御部６０は、当該表示オブジェクトの表示内容を示す文字列の全構成文字を、当該アイテムオブジェクトの更新後の操作画面情報に従って当該アイテムオブジェクト及び当該表示オブジェクトの表示エリア内に表示させる（ステップＳ８０７）。
【００５８】
このように、更新後の文字表示率が１００％であり、アイテムオブジェクトの表示内容を示す文字列の構成文字が、変倍後のアイテムオブジェクトの表示エリア内に全て表示可能である場合には、当該文字列の全構成文字が当該表示エリア内に表示されるように制御される。
そして制御部６０は、全アイテムオブジェクトについて表示処理を終了する（ステップＳ８０８：ＹＥＳ）までステップＳ８０１〜ステップＳ８０７の処理を繰り返す。
【００５９】
図９は、図４に示す操作画面情報に従って操作パネル６２に表示されたデフォルト表示時の操作画面の表示例を示す図であり、図１０は、本実施の形態の表示制御処理により変倍表示された操作画面の表示例を示す図である。図１１は、上記の表示制御処理における、指定表示倍率（α）とアイテムオブジェクトの表示エリアの設定表示倍率との対応関係、及び指定表示倍率（α）と当該アイテムオブジェクトの表示エリアに表示される文字の設定表示倍率との対応関係をそれぞれ模式的に示す図である。
【００６０】
図１１の符号Ｐは、指定表示倍率（α）とアイテムオブジェクトの表示エリアの設定表示倍率との対応関係を示すグラフであり、符号Ｑは、指定表示倍率（α）と当該アイテムオブジェクトの表示エリアに表示される文字の設定表示倍率との対応関係を示すグラフである。又、同図の符号Ｓは、文字表示率が１００％未満の範囲を、符号Ｔは、文字表示率が１００％の範囲を示す。
【００６１】
以下、図９〜図１１を参照しながら、本実施の形態の表示制御処理の効果について詳述する。
図９に示すように、操作パネル６２には、Ａ０００〜Ａ００５で示す６つのアイテムオブジェクトが表示され、６つのアイテムオブジェクトの内、Ａ００１〜Ａ００３の３つのアイテムオブジェクトは、文字表示率が１００％未満で、表示内容を示す文字列の全構成文字数が、エリア表示可能文字数より多いため、当該文字列の全構成文字が当該アイテムオブジェクトの表示エリア内に表示しきれていない。
【００６２】
具体的には、Ａ００１では、９文字からなる全構成文字「ＡＵＴＯＣＯＬＯＲ」の内、「ＡＵＴＯＣ」の５文字だけが表示されている。同様に、Ａ００２では、９文字からなる全構成文字「ＦＵＬＬＣＯＬＯＲ」の内、「ＦＵＬＬＣ」の５文字だけが表示されている。同様に、Ａ００３では、１１文字からなる全構成文字「ＢＬＡＣＫ＆ＷＨＩＴＥ」の内、「ＢＬＡＣＫ」の５文字だけが表示されている。なお、図９及び図１０の点線矩形は、表示オブジェクトの表示エリアを示す。
【００６３】
本実施の形態の表示制御処理の表示倍率変倍処理が実行されると、Ａ００１〜Ａ００３の３つのアイテムオブジェクトにおいて、図１１の範囲Ｓ内のグラフＰ、Ｑが示すように、アイテムオブジェクトの表示エリアの表示倍率の方が、当該表示エリア内に表示される文字の表示倍率（１００％）よりも大きくなるように変倍処理が行われ、変倍処理後の当該表示エリアにおいて、両者の表示倍率の差分に相当する分だけ文字に対する表示スペースが相対的に拡張されることになる。その結果、デフォルト表示時に比べて、アイテムオブジェクトの表示エリア内に多くの文字を表示することが可能となる。
【００６４】
さらに、図１１の範囲ＳのグラフＰ、Ｑが示すように、文字表示率が１００％に達するまでは、文字の表示倍率は１００％（等倍表示）に固定されているので、指定表示倍率（α）が大きくなるに従って両者（グラフＰとグラフＱ）の表示倍率の差が広がり、変倍指示において指定する指定表示倍率（α）を大きくしてゆくことにより、アイテムオブジェクトの表示エリア内に表示できる文字の数を増やすことができ、図１０に示すように、Ａ００１〜Ａ００３の３つのアイテムオブジェクトにおいて、表示内容を示す文字列の全構成文字を最終的に各アイテムオブジェクトの表示エリア内に全て表示させることができる。
【００６５】
図１０では、Ａ００１〜Ａ００３の３つのアイテムオブジェクトにおいて、両者の表示倍率の差に相当する分だけ、各アイテムオブジェクトの表示エリア内に表示される文字の数が、図９に示す場合よりも増やされ、最終的に全構成文字に相当する文字が当該表示エリア内に表示されている。
具体的には、Ａ００１では、９文字からなる全構成文字「ＡＵＴＯＣＯＬＯＲ」が表示されている。同様に、Ａ００２では、９文字からなる全構成文字「ＦＵＬＬＣＯＬＯＲ」が表示されている。同様に、Ａ００３では、１１文字からなる全構成文字「ＢＬＡＣＫ＆ＷＨＩＴＥ」が表示されている。
【００６６】
このように、本実施の形態の表示制御処理においては、変倍指示においてデフォルト表示（表示倍率１００％）より大きい表示倍率の指定が受付けられると、アイテムオブジェクトの表示エリア内に表示される文字の表示倍率が指定表示倍率（α）よりも小さくなるように設定され、指定表示倍率（α）で変倍された当該表示エリアにおいて、両者の表示倍率の差分に相当する分だけ、文字の表示スペースが相対的に拡張されるので、指定表示倍率（α）に変倍された当該表示エリア内にデフォルト表示時よりも多くの文字を表示させることができる。
【００６７】
その結果、デフォルト表示時にアイテムオブジェクトの表示枠（表示エリア）内に表示しきれない文字が存在する場合においても、操作画面の表示を変倍することにより、デフォルト表示時に当該表示枠内に表示しきれなかった文字を変倍後の当該表示枠内に表示させるようにすることができ、ユーザーの利便性を損なうことなく、ユーザーが視認しやすい表示態様でデフォルト表示時に表示しきれない文字を表示させることができる。
【００６８】
さらに、図１１の範囲ＳにおけるグラフＰ、Ｑが示すように、両者の表示倍率の差は、文字表示率が１００％未満では、指定表示倍率（α）が大きくなるに従って広がるので、変倍指示において指定する指定表示倍率（α）を大きくしてゆくことにより、アイテムオブジェクトの表示エリア内に表示できる文字の数を増やすことができるので、ユーザーは、変倍指示おいて指定する指定表示倍率（α）を大きくしてゆくことにより、デフォルト表示時に表示エリア内に表示されていないアイテムオブジェクトの構成文字を、最終的に全て表示させて、当該アイテムオブジェクトの表示内容の確認を確実に行うことができる。
【００６９】
又、文字表示率が１００％に達すると、図１１の範囲ＴのグラフＰ、Ｑが示すように、文字と当該文字が表示されるアイテムオブジェクトの表示エリアとが同じ倍率で変倍されるので、文字を大きく表示させることができ、当該アイテムオブジェクトの表示内容をより見やすくすることができる。
（変形例）
以上、本発明を実施の形態に基づいて説明してきたが、本発明が上述の実施の形態に限定されないのは勿論であり、以下のような変形例を実施することができる。
【００７０】
（１）本実施の形態では、表示制御処理において、文字表示率が１００％未満の場合には、変倍時における文字の表示倍率を１００％に固定し、文字の表示倍率を変更しないこととしたが、文字の表示倍率は、変倍時にアイテムオブジェクトの表示エリアの表示倍率よりも小さくなるように設定すればよく、本実施の形態の場合のように固定値でなくてもよい。例えば、変倍時の文字の表示倍率を、当該文字を表示するアイテムオブジェクトの表示エリアの表示倍率に、０より大きく、１より小さい所定の係数値ｋを乗算した値に設定することとしてもよい。
【００７１】
具体的には、図７の表示倍率変倍処理のステップＳ７０４の処理において、カレント文字表示倍率（Ｌ）を１００％に設定する代わりに、Ｌをｋα（０＜ｋ＜１）に設定することとしてもよい。
図１２は、本変形例における、指定表示倍率（α）とアイテムオブジェクトの表示エリアの設定表示倍率との対応関係及び指定表示倍率（α）と当該アイテムオブジェクトの表示エリアに表示される文字の設定表示倍率との対応関係を模式的に示す図である。同図の各符号の意味は、図１１の場合と同様であるので説明を省略する。
【００７２】
同図に示すように、本変形例の場合においても、本実施の形態の場合と同様に、文字表示率が１００％未満の範囲Ｓにおいて、アイテムオブジェクトの表示エリアの設定表示倍率の方が、文字の設定表示倍率よりも大きくなるように設定され、指定表示倍率（α）が、大きくなるに従って両者の差が広がるようにすることができるので、本実施の形態の場合と同様の効果を得ることができる。
【００７３】
（２）本実施の形態の表示制御処理においては、変倍時の文字表示率が１００％未満か否かにより、設定する文字の表示倍率を変えることとしたが、文字表示率が１００％に達している場合においても、１００％未満の場合と同じ表示倍率に設定することとしてもよい。
具体的には、図７の表示倍率変倍処理において、ステップＳ７０３、ステップＳ７０５の処理を削除することとしてもよい。（１）の変形例においても同様に設定することとしてもよい。
【００７４】
（３）本実施の形態の表示制御処理においては、文字表示率の大小に関わらず、文字表示率が１００％未満の場合には、変倍時の文字の表示倍率を一律に１００％とすることとしたが、文字表示率が小さくなる程、アイテムオブジェクトの表示エリアの表示倍率（＝指定表示倍率（α））と文字の表示倍率との差が大きくなるように変倍時の文字の表示倍率を設定するようにしてもよい。
【００７５】
例えば、文字表示率をＡ％とすると、変倍時の文字の表示倍率（Ｙ）を以下の式により、設定することとしてもよい。
Ｙ＝Ａ／１００×α
具体的には、上記の関係式をテーブル記憶部６３に予め記憶しておき、図７の表示倍率変倍処理を図１３に示すように変形することとしてもよい。図１３に示す変形例（変形例１）おいて、図７の処理と処理内容が同一の処理については、図７と同一のステップ番号を付与して、当該処理内容の説明を省略し、以下、図７の処理内容と相違する点について説明する。
【００７６】
制御部６０は、ステップＳ７０３の処理の判定結果が肯定的である場合に（ステップＳ７０３：ＹＥＳ）、制御部６０は、当該表示オブジェクトの文字表示率（Ａ）を特定し、テーブル記憶部６３に記憶している関係式を用いて、当該文字表示率における文字の表示倍率（Ｙ）を算出し（ステップＳ１３０１）、操作画面情報の当該表示オブジェクトに係るカレント文字表示倍率（Ｌ）を算出した表示倍率（Ｙ）に、カレント非文字表示倍率（Ｍ）を指定表示倍率（α）にそれぞれ設定する（ステップＳ１３０２）。
【００７７】
図１４は、指定表示倍率（α）とアイテムオブジェクトの表示エリアの設定表示倍率との対応関係及び各文字表示率における、指定表示倍率（α）と当該アイテムオブジェクトの表示エリアに表示される文字の設定表示倍率との対応関係を模式的に示す図である。
同図の符号Ｐは、指定表示倍率（α）とアイテムオブジェクトの表示エリアの設定表示倍率との対応関係を示すグラフであり、符号Ｑ７５、Ｑ５０、Ｑ２５は、文字表示率が、それぞれ７５％、５０％、２５％の場合における、指定表示倍率（α）と当該アイテムオブジェクトの表示エリアに表示される文字の設定表示倍率との対応関係を示すグラフである。
【００７８】
同図に示すように、上記の関係式を用いて変倍時の文字の表示倍率を設定した場合には、文字表示率が小さい程、アイテムオブジェクトの表示エリアの設定表示倍率と文字の設定表示倍率との差が広がるようにすることができるので、ユーザーは、アイテムオブジェクトの表示エリア内に表示しきれない文字が多い場合においても、表示しきれなかった文字を、変倍後の当該表示エリア内に多く表示させることができ、表示内容の確認動作におけるユーザーの利便性をより向上させることができる。
【００７９】
本変形例は、（２）の変形例においても同様に適用することができる。
（４）本実施の形態では、表示制御処理において変倍表示処理を行うことにより、デフォルト表示時にアイテムオブジェクトの表示エリア内に表示しきれていなかった文字を、文字列の配列順に順次選択して変倍後の当該表示エリア内に表示させることとしたが、当該文字列を複数の文字グループに分割し、分割した文字グループ単位で表示しきれなかった文字を順次選択して表示させることとしてもよい。
【００８０】
分割する文字グループとしては、例えば、文字列が複数の単語から構成される場合に、文字列に含まれる単語単位で１つの文字グループを形成することが考えられる。変倍後のアイテムオブジェクトの表示エリア内に表示される文字数が、まだ、文字列の全構成文字数に達していないような場合には、当該文字列の配列順に全構成文字の一部が表示される場合よりは、単語単位で各単語を構成する文字の一部が表示される場合の方が、ユーザーは、全体の表示内容が何であるかを一見して把握しやすくなるからである。
【００８１】
例えば、文字列を構成する単語の内、配列の先頭側にある単語については、全文字が表示されているが、当該文字列の配列の末尾側にある単語については、全く文字が表示されていないような場合には、ユーザーは、全体の表示内容が何であるかを把握することは困難であるが、当該文字列を構成する各単語の構成文字が一部ずつ、均等に表示されているような場合には、ユーザーは、表示されている文字から当該文字に係る単語が何であるかを一見して把握しやすくなるからである。
【００８２】
具体的には、図４に示す操作画面情報の構成を、図１５に示すように、アイテムオブジェクトの表示オブジェクトを単語単位で分割した構成に変形し、図７の表示倍率変倍処理及び図８の変倍表示処理を図１６及び図１７のように変形することとしてもよい。
図１６及び図１７において、図７及び図８の対応する処理と処理内容が同一の処理については、当該処理について付与されているステップ番号と同一のステップ番号を付与して当該処理内容の説明を省略し、以下、相違する点について説明する。
【００８３】
図１６に示す図７の変形例２おいて、制御部６０は、ステップＳ７０２の処理を行った後、当該アイテムオブジェクトの表示オブジェクトが複数であるか否かを判定し（ステップＳ１６０１）、複数である場合には（ステップＳ１６０１：ＹＥＳ）、複数の表示オブジェクトの文字表示率の平均値を算出して、算出した平均値を、ステップＳ７０３の判定に用いる文字表示率とする（ステップＳ１６０２）。
【００８４】
ステップＳ１６０１の判定結果が否定的である場合には（ステップＳ１６０１：ＮＯ）、制御部６０は、ステップＳ７０３の処理に移行する。
次に、図１７に示す図８の変形例１において制御部６０は、ステップＳ８０６又はステップＳ８０７の処理を実行した後、当該アイテムオブジェクトの全表示オブジェクトについて表示処理を終了した否かを判定し（ステップＳ１７０１）、終了した場合には（ステップＳ１７０１：ＹＥＳ）、ステップＳ８０８の処理に移行し、終了していない場合には（ステップＳ１７０１：ＮＯ）、ステップＳ８０４の処理に移行する。
【００８５】
図１８は、デフォルト表示時の操作画面の表示例を示す図であり、図１５に示す操作画面情報に従って操作パネル６２に表示された操作画面の表示例を示している。
同図に示すように、操作パネル６２には、Ａ０００〜Ａ００５で示す６つのアイテムオブジェクトが表示され、６つのアイテムオブジェクトの内、Ａ００１〜Ａ００３の３つのアイテムオブジェクトは、分割された複数の表示オブジェクトから構成されている。
【００８６】
すなわち、Ａ００１は、表示内容を示す文字列が「ＡＵＴＯ」と「ＣＯＬＯＲ」の２つの単語からなる分割表示オブジェクトから構成され、各単語の全構成文字の内、当該分割表示オブジェクトのエリア表示可能文字数に相当する文字（「ＡＵ」、「ＣＯＬ」）が当該分割表示オブジェクトの表示エリア内にそれぞれ表示されている。
同様に、Ａ００２は、表示内容を示す文字列が「ＦＵＬＬ」、「ＣＯＬＯＲ」の２つの単語からなる分割表示オブジェクトから構成され、各単語の全構成文字の内、当該分割表示オブジェクトのエリア表示可能文字数に相当する文字（「ＦＵ」、「ＣＯＬ」）が当該分割表示オブジェクトの表示エリア内にそれぞれ表示されている。
【００８７】
同様に、Ａ００３は、表示内容を示す文字列が、「ＢＬＡＣＫ」と「＆」と「ＷＨＩＴＥ」の３つの単語（ここでは、「＆」は、１つの文字からなるが、英語の「ａｎｄ」と同じ意味を表すので、単語とみなしている。）からなる分割表示オブジェクトから構成され、各単語の全構成文字の内、当該分割表示オブジェクトのエリア表示可能文字数に相当する文字（「ＢＬ」、「＆」、「ＷＨ」）が当該分割表示オブジェクトの表示エリア内にそれぞれ表示されている。なお、同図の点線矩形は、表示オブジェクトの表示エリアを示す。後述する図１９、図２０についても同様である。
【００８８】
図１６の表示倍率変倍処理が実行されると、Ａ００１〜Ａ００３の３つのアイテムオブジェクト内の各分割表示オブジェクトの表示エリア内において、当該表示エリアの表示倍率（α）の方が、当該表示エリア内に表示される文字の表示倍率（１００％）よりも大きくなるように変倍処理が行われ、変倍処理後の当該表示エリアにおいて、両者の表示倍率の差分に相当する分だけ文字に対する表示スペースが相対的に拡張されることになる。その結果、各アイテムオブジェクトの表示内容を示す文字列を構成する各単語単位で、当該単語を構成する文字の数を増やして表示させることができる。
【００８９】
図１９、図２０は、本変形例の表示制御処理において、指定表示倍率（α）を段階的に大きくしてゆくことにより、図１８の操作画面の表示が変倍され、各単語単位でデフォルト表示時には当該分割表示オブジェクトの表示エリア内に非表示であった、当該単語を構成する文字が最終的に全て表示されるまで段階的に増加してゆく様子を示した図である。図１９、図２０の各符号の意味は、図１８と同じである。
【００９０】
このように、本変形例の表示制御処理では、各アイテムオブジェクトの表示内容を示す文字列を構成する各単語単位で、当該単語を構成する文字の数が変化するように表示が制御されるので、本実施の形態の表示制御処理の場合に比べ、変倍後のアイテムオブジェクトの表示エリア内に表示される文字数が、まだ、文字列の全構成文字数に達していないような場合における文字列全体の表示内容の把握を容易にすることができる。
【００９１】
例えば、Ａ００３の表示内容を示す「ＢＬＡＣＫ＆ＷＨＩＴＥ」という文字列は、本実施の形態の表示制御処理では、デフォルト表示状態において、当該文字列を構成する３つの単語の内、１つの単語「ＢＬＡＣＫ」を構成する文字しか表示されておらず（図９参照）、指定表示倍率（α）がある程度の大きさにならないと、他の２つの単語を構成する文字がＡ００３の表示エリア内に表示されないので、当該文字列の内容を把握することが困難である。
【００９２】
これに対し、本変形例の表示制御処理では、デフォルト表示状態において既に３つの単語の構成文字の一部が全てＡ００３の表示エリア内に表示されており、ユーザーはデフォルト表示時から文字列に含まれる全ての単語の構成文字の一部を見ることができ、当該一部から文字列に含まれる各単語が何であるかを連想しやすい。その結果、当該文字列全体の表示内容が何であるかの目安をつけやすく、指定表示倍率（α）をそれ程大きくしなくても（表示エリア内の文字数をそれ程増やさなくても）文字列に含まれる各単語が何であるかを連想することができ、それにより当該文字列全体の表示内容の把握を容易にすることができる。
【００９３】
本変形例は、（１）〜（３）の変形例においても同様に適用することができる。
（５）本実施の形態では、文字表示率が１００％未満の場合に、変倍時の文字表示倍率を指定表示倍率よりも小さくする処理をおこなうこととしたが、当該処理を行うアイテムオブジェクトの適用範囲を指定し、指定した適用範囲内に表示されているアイテムオブジェクトの文字についてのみ当該処理を行うこととしてもよい。
【００９４】
具体的には、図６の表示制御処理及び図７の表示倍率変倍処理を図２１、図２２のように変形することとしてもよい。両図において、図６及び図７の処理と処理内容が同一の処理については、図６及び図７のステップ番号と同一のステップ番号を付与し、当該処理内容の説明を省略し、以下、相違点について説明する。
図２１に示す図６の変形例において、制御部６０は、ステップＳ６０３の処理を行った後、ユーザーからの変倍指示と適用範囲の指定を受取ると（ステップＳ２１０１：ＹＥＳ）、ステップＳ６０５の処理に移行する。
【００９５】
ここでは、適用範囲の指定は、ユーザーのピンチイン又はピンチアウト操作における、移動前の２つの指先の指示点の座標位置が示すＸ座標、Ｙ座標の範囲によって指定することとする。すなわち、図５（ａ）、（ｂ）の点線矩形で示す矩形内の範囲が適用範囲として指定されることになる。
図２２に示す図７の変形例３おいて、制御部６０は、ステップＳ７０２の判定結果が肯定的である場合に（ステップＳ７０２：ＹＥＳ）、当該アイテムオブジェクトが、ステップＳ２１０１において指定された適用範囲内に表示されているか否かを判定し（ステップＳ２２０１）、適用範囲内に表示されている場合には（ステップＳ２２０１：ＹＥＳ）、ステップＳ７０３の処理に移行し、適用範囲内に表示されていない場合には（ステップＳ２２０１：ＮＯ）、ステップＳ７０５の処理に移行する。
【００９６】
これにより、ユーザーは、自己が表示内容の確認を所望するアイテムオブジェクトのみを選択して、表示内容を確認することができる。
例えば、図２３の白丸と矢印で示すように、ユーザーがピンチアウト操作により、一点鎖線で示す矩形の範囲を適用範囲として指定（Ａ００３のアイテムオブジェクトを適用範囲として指定）した場合には、図２４に示すように、Ａ００３のアイテムオブジェクトの表示エリア内においてのみ、変倍時の文字表示倍率を指定表示倍率よりも小さくする処理が行われて、当該表示エリア内に表示される文字数が、図２３に示す場合に比べ、増加する。
【００９７】
ここで、図２３は、図１０と同様に、デフォルト表示時の操作画面の表示例を示し、図２４は、本変形例の表示制御処理により、図２３の操作画面を変倍した後の表示例を示す。
本変形例は、（１）〜（４）の変形例についても同様に適用することができる。
（６）本実施の形態では、表示制御処理において、文字表示率が１００％未満の場合には、アイテムオブジェクトの表示内容を示す文字列の構成文字を、エリア表示可能文字数の範囲内で当該文字列の配列順に表示させることとしたが、指定表示倍率（α）の表示倍率に応じたエリア表示可能文字数の範囲内で当該文字列の中から予め選択した構成文字を配列順に関わらず表示させることとしてもよい。
【００９８】
具体的には、アイテムオブジェクト毎に指定表示倍率（α）と、当該指定表示倍率におけるエリア表示可能文字数（文字の表示倍率を１００％としたときのエリア表示可能文字数）からなる選択文字列（当該アイテムオブジェクトの表示内容を示す文字列を構成する全構成文字の中から選択した、全構成文字の内の一部の構成文字からなる文字列）との対応関係を示す表示対象文字選択テーブルをテーブル記憶部６３に記憶しておき、図８の変倍表示処理を図２５のように変形することとしてもよい。
【００９９】
図２６は、表示対象文字選択テーブルの具体例を示す。同図においては、アイテムオブジェクトＩＤがＡ００３の表示対象文字選択テーブルが示されている。
なお、ここでは、説明の便宜上、Ａ００３のアイテムオブジェクトの表示枠内には、デフォルト表示時に「ＢＷ」が表示されることを前提としている。
当該アイテムオブジェクトの表示内容を示す文字列は、「ＢＬＡＣＫ＆ＷＨＩＴＥ」であり、当該表示対象文字選択テーブルには、当該表示内容を示す文字列を構成するサブ文字列「ＢＬＡＣＫ」、「ＷＨＩＴＥ」の省略文字が選択文字列として設定されている。
【０１００】
図２５に示す図８の変形例２において、制御部６０は、ステップＳ８０４の判定結果が肯定的である場合に（ステップＳ８０４：ＹＥＳ）、テーブル記憶部６３に記憶されている、当該アイテムオブジェクトの表示対象文字選択テーブルを参照して、指定表示倍率（α）に対応する選択文字列を表示対象文字として選択する（ステップＳ２５０１）。
これにより、ユーザーがアイテムオブジェクトの全体の表示内容を連想しやすい部分文字列を、表示対象選択テーブルの選択文字列として予め定めておくことにより、変倍後の表示おいて、表示内容を示す全構成文字がまだ表示しきれていない場合においてもユーザーは、全体の表示内容を連想しやすくなり、ユーザーのアイテムオブジェクトの表示内容の確認動作における利便性を向上させることができる。
【０１０１】
本変形例は、（１）〜（３）、（５）の変形例においても同様に適用することとしてもよい。
（７）本実施の形態では、表示制御処理において、文字表示率が１００％未満の場合であっても、アイテムオブジェクトの表示エリアにその旨の表示をしないこととしたが、文字表示率が１００％の場合と１００％未満の場合で、当該表示エリアにおける表示形態を異ならせることにより、ユーザーに対し、当該表示エリア内に全ての表示内容が表示しきれていないことを知らせるようにすることとしてもよい。
【０１０２】
例えば、文字表示率が１００％未満の場合には、所定の符号文字（例えば、「＊」の符号文字）を当該表示エリア内に表示される表示オブジェクトの文字列の先頭又は末尾に付与して表示させる（この場合、符号文字を表示する表示スペースを当該表示エリア内に確保するため、当該表示エリア内に表示させる文字数をエリア表示可能文字数より１文字減らして表示させる）こととしてもよい。
【０１０３】
具体的には、例えば、図８の変倍表示処理を図２７のように変形することとしてもよい。図２７に示す図８の変形例３において、図８の処理と処理内容が同一の処理については、図８のステップ番号と同一のステップ番号を付与して当該処理内容の説明を省略し、以下、相違点について説明する。
制御部６０は、ステップＳ８０４の判定結果が肯定的である場合に（ステップＳ８０４：ＹＥＳ）、制御部６０は、当該表示オブジェクトの表示内容を示す文字列から、更新後のエリア表示可能文字数より１文字少ない文字数分の文字を、表示対象文字として先頭文字から順次選択し（ステップＳ２７０１）、選択した表示対象文字の文字列の先頭部に「＊」の符号文字を付加した文字列を、当該アイテムオブジェクトの更新後の操作画面情報に従って当該アイテムオブジェクト及び当該表示オブジェクトの表示エリア内に表示させる（ステップＳ２７０２）。
【０１０４】
又、符号文字を付加して表示させる代わりに、図８のステップＳ８０６において、表示対象文字の色を、ステップＳ８０７において表示させる文字の色と異なる色にして表示させることとしてもよい。
これにより、ユーザーは、アイテムオブジェクトの表示エリアに表示内容を示す文字列が全て表示されているか否かを容易に知ることができ、表示内容の確認動作を能率よくすすめることができる。
【０１０５】
本変形例は、（１）〜（６）の変形例においても同様に適用することとしてもよい。
（８）本実施の形態では、表示オブジェクトが、ユーザーが入力した文字列であるか否かにかかわらず、文字表示率が１００％未満の場合に、変倍時の文字表示倍率を指定表示倍率よりも小さくする処理をおこなうこととしたが、表示オブジェクトが、ユーザーが入力した文字列である場合には、当該処理を抑止することとしてもよい。
【０１０６】
具体的には、操作画面情報の表示オブジェクトの種類に、表示オブジェクトが、ユーザー入力オブジェクトか、否かを示す情報を付与しておき、図７の表示倍率変倍処理を図２８に示すように変形することとしてもよい。図２８に示す図７の変形例４において、図８の処理と処理内容が同一の処理については、図８のステップ番号と同一のステップ番号を付与して当該処理内容の説明を省略し、以下、相違点について説明する。
【０１０７】
制御部６０は、ステップＳ７０２の判定結果が肯定的である場合に（ステップＳ７０２：ＹＥＳ）、当該表示オブジェクトの種類が、ユーザー入力オブジェクトか否かを判定し（ステップＳ２８０１）、ユーザー入力オブジェクトである場合には（ステップＳ２８０１：ＹＥＳ）、ステップＳ７０５の処理に移行し、ユーザー入力オブジェクトでない場合には（ステップＳ２８０１：ＮＯ）、ステップＳ７０３の処理に移行する。
【０１０８】
このように、ユーザー自身が入力し、表示オブジェクトの表示内容が何であるかを確認する必要性が少ない場合に、不必要に変倍時の文字表示倍率を指定表示倍率よりも小さくする処理が行われるのを抑止することができる。
又、不特定の他人にあまり見られたくない表示オブジェクト（例えば、ユーザーのメールアドレスや電話番号等）については、変倍時の文字表示倍率を指定表示倍率よりも小さくする処理が抑止され、当該アイテムオブジェクトの表示内容全体の表示を抑止することができるで、セキュリティを確保することができる。
【０１０９】
本変形例は、（１）〜（７）の変形例においても同様に適用することができる。
（９）本実施の形態では、表示制御処理において、ステップＳ７０７の判定結果が否定的である場合には（ステップＳ７０７：ＮＯ）、制御部６０は、各アイテムオブジェクトをデフォルト表示させることとしたが、指定表示倍率（α）が１００％未満の場合には、デフォルト表示ではなく、各アイテムオブジェクトのカレント非文字表示倍率及び当該アイテムオブジェクトの表示オブジェクトがテキストである場合には、当該表示オブジェクトのカレント文字表示倍率を指定表示倍率（α）に設定し、設定した表示倍率に基づいて操作画面情報の該当する欄の数値を更新し、更新後の操作画面情報に従って各アイテムオブジェクトを指定表示倍率（α）で縮小表示させることとしてもよい。
【０１１０】
本変形例は、（１）〜（８）の変形例についても同様に適用することができる。
（１０）本実施の形態では、変倍指示をピンチイン、ピンチアウト操作により受取ることとしたが、他の方法により変倍指示を受取ることとしてもよい。例えば、操作画面に拡大、縮小指示ボタンを表示させ、当該ボタンのタッチ操作時間を検出することにより、変倍指示を受取ることとしてもよい。
【０１１１】
この場合には、タッチ操作時間により、変倍量を算出し、本実施の形態の場合の表示制御処理と同様にして指定変倍率（α）を算出することができる。
本変形例は、（１）〜（９）の変形例についても同様に適用することができる。
【産業上の利用可能性】
【０１１２】
本発明は、所定形状の表示枠に文字列を重ねて表示させる表示装置に関し、特に表示枠内に収まらない文字列の表示を制御する技術として利用できる。
【符号の説明】
【０１１３】
１                      画像形成装置
３                      画像プロセス部
４                      給紙部
５                      定着装置
６                      表示装置
７                      画像読取部
１０、６０              制御部
６１                    操作画面情報記憶部
６２                    操作パネル
６３                    テーブル記憶部
【図１】
2015228176.tif 000003
【図２】
2015228176.tif 000004
【図３】
2015228176.tif 000005
【図４】
2015228176.tif 000006
【図５】
2015228176.tif 000007
【図６】
2015228176.tif 000008
【図７】
2015228176.tif 000009
【図８】
2015228176.tif 000010
【図９】
2015228176.tif 000011
【図１０】
2015228176.tif 000012
【図１１】
2015228176.tif 000013
【図１２】
2015228176.tif 000014
【図１３】
2015228176.tif 000015
【図１４】
2015228176.tif 000016
【図１５】
2015228176.tif 000017
【図１６】
2015228176.tif 000018
【図１７】
2015228176.tif 000019
【図１８】
2015228176.tif 000020
【図１９】
2015228176.tif 000021
【図２０】
2015228176.tif 000022
【図２１】
2015228176.tif 000023
【図２２】
2015228176.tif 000024
【図２３】
2015228176.tif 000025
【図２４】
2015228176.tif 000026
【図２５】
2015228176.tif 000027
【図２６】
2015228176.tif 000028
【図２７】
2015228176.tif 000029
【図２８】
2015228176.tif 000030